(57)【要約】【課題】優れた外観を得られる階段と手摺の固定構造および階段構造物を提供する。【解決手段】階段を構成する踏板２０に手摺支柱５１を固定する階段と手摺５０の固定構造において、中空形材にて構成された踏板２０の中空部２２ａに、補強ベース部材３０を挿入し、踏板２０および補強ベース部材３０の下側から、棒状の固定部材５５を貫通させてその上端部が踏板２０の上面から上方に突出するように装着し、固定部材５５の上端突出部５６を、手摺支柱５１の下端部に螺合させて、手摺支柱５１を踏板２０に固定するように構成した。【選択図】図３
2009068297.tif 000002
【特許請求の範囲】
【請求項１】
階段を構成する踏板に手摺支柱を固定する階段と手摺の固定構造において、
中空形材にて構成された踏板の中空部に、補強ベース部材を挿入し、
前記踏板および前記補強ベース部材の下側から、棒状の固定部材を貫通させてその上端部が前記踏板の上面から上方に突出するように装着し、前記固定部材の上端突出部を、前記手摺支柱の下端部に螺合させて、前記手摺支柱を前記踏板に固定するように構成した
ことを特徴とする階段と手摺の固定構造。
【請求項２】
前記踏板は、一対の側桁に架け渡されて固定されるとともに、その両端が一対の前記側桁よりも外側に突出しており、
前記補強ベース部材は、前記踏板の端部から前記側桁への固定部分にかけて延出して構成されている
ことを特徴とする請求項１に記載の階段と手摺の固定構造。
【請求項３】
前記踏板の中空部の内表面に、前記補強ベース部材を位置決めするための凹溝または凸条を形成し、
前記補強ベース部材の外表面に、前記凹溝に対応する凸条または前記凸条に対応する凹溝を形成した
ことを特徴とする請求項１または請求項２に記載の階段と手摺の固定構造。
【請求項４】
前記踏板は、その内部に少なくとも二つのリブを有し、
これらリブ間の中空部に、前記補強ベース部材が挿入される
ことを特徴とする請求項１乃至請求項３のいずれか１項に記載の階段と手摺の固定構造。
【請求項５】
前記踏板は、アルミニウム製の押出形材にて構成された
ことを特徴とする請求項１乃至請求項４のいずれか１項に記載の階段と手摺の固定構造。
【請求項６】
前記補強ベース部材は、中空部を有するアルミニウム製の押出形材にて構成された
ことを特徴とする請求項１乃至請求項５のいずれか１項に記載の階段と手摺の固定構造。
【請求項７】
階段の幅方向に所定間隔をあけて配置された一対の側桁に、中空形材にて構成された踏板を架け渡して固定し、
前記踏板の中空部に、補強ベース部材を挿入し、
前記踏板および前記補強ベース部材の下側から、棒状の固定部材を貫通させてその上端部が前記踏板の上面から上方に突出するように装着し、前記固定部材の上端突出部を、手摺支柱の下端部に螺合させて、前記手摺支柱を前記踏板に装着するように構成した
ことを特徴とする階段構造物。
【請求項８】
前記踏板は、その両端が一対の前記側桁よりも外側に突出しており、
前記補強ベース部材は、前記踏板の端部から前記側桁への固定部分にかけて延出して構成されている
ことを特徴とする請求項７に記載の階段構造物。
【発明の詳細な説明】
【技術分野】
【０００１】
本発明は、階段と手摺の固定構造および階段構造物に関する。
【背景技術】
【０００２】
近年、家屋やコテージなどの建築物において、建築物の内部あるいは外部に設置される階段構造物として、軽量で且つ耐食性を有しているものが求められている。この要求を満たす階段構造物が、例えば、特許文献１または特許文献２に開示されている。
【０００３】
【特許文献１】特開２００３−１４７９２６号公報
【特許文献２】特開２００３−１３８７１３号公報
【発明の開示】
【発明が解決しようとする課題】
【０００４】
ところで、階段には手摺を設置するのが一般的である。階段への手摺の固定形態は様々であるが、特許文献２に開示されたような、踏板が側桁よりも外側に突出して形成されている階段構造物では、踏板に手摺支柱を取り付けることで、階段の有効幅を大きくすることが可能となる。
【０００５】
しかしながら、特許文献２に開示された階段構造物では、図７に示すように、踏板１００の端面の小口に小口蓋１０１が固定されており、この小口蓋１０１に形成された挿入部１０２に手摺支柱１０３の下端部を挿入してボルトＢ等の締結金具で固定するように構成されていた。そのため、手摺支柱１０３の挿入部１０２が外側に突出して小口蓋１０１の表面が凸凹になるとともに、手摺支柱１０３の底部が下側に露出し、またボルトＢ等の締結金具が側面に露出して、外観が悪化する問題があった。
【０００６】
そこで、本発明は、かかる問題に鑑みてなされたものであり、優れた外観を得られる階段と手摺の固定構造および階段構造物を提供することを目的とする。
【課題を解決するための手段】
【０００７】
前記課題を解決するため、請求項１に係る発明は、階段を構成する踏板に手摺支柱を固定する階段と手摺の固定構造において、中空形材にて構成された踏板の中空部に、補強ベース部材を挿入し、前記踏板および前記補強ベース部材の下側から、棒状の固定部材を貫通させてその上端部が前記踏板の上面から上方に突出するように装着し、前記固定部材の上端突出部を、前記手摺支柱の下端部に螺合させて、前記手摺支柱を前記踏板に固定するように構成したことを特徴とする階段と手摺の固定構造である。
【０００８】
このような構成によれば、固定部材は、踏板の下側から挿入されているので目立たないとともに、手摺支柱を踏板の上面に固定することで、踏板の端部に手摺支柱の挿入部を設ける必要がなく踏板の端部を平坦な形状にすることができるので、すっきりとした優れた外観を得ることができる。また、手摺支柱は、固定部材を介して踏板に直接固定されているので、踏板との固定強度を高めることができる。また、補強ベース部材によって、手摺支柱にかかる応力を支持できるので、手摺支柱と踏板の固定強度および踏板の強度をさらに高めることができる。
【０００９】
請求項２に係る発明は、前記踏板が、一対の側桁に架け渡されて固定されるとともに、その両端が一対の前記側桁よりも外側に突出しており、前記補強ベース部材は、前記踏板の端部から前記側桁への固定部分にかけて延出して構成されていることを特徴とする請求項１に記載の階段と手摺の固定構造である。
【００１０】
このような構成によれば、手摺支柱にかかる応力が、補強ベース部材を介して側桁に伝達されるので、より多くの応力に耐えることができ、手摺支柱と踏板の固定強度をさらに高めることができる。
【００１１】
請求項３に係る発明は、前記踏板の中空部の内表面に、前記補強ベース部材を位置決めするための凹溝または凸条を形成し、前記補強ベース部材の外表面に、前記凹溝に対応する凸条または前記凸条に対応する凹溝を形成したことを特徴とする請求項１または請求項２に記載の階段と手摺の固定構造である。
【００１２】
このような構成によれば、凹溝および凸条が互いに噛み合うことで、補強ベース部材を踏板の中空部に挿入する際の位置決めを容易に行うことができるとともに、挿入後に補強ベース部材が所定の位置に固定される。また、凹溝および凸条が補強リブの役目を果たして、踏板の強度を高めることができる。
【００１３】
請求項４に係る発明は、前記踏板が、その内部に少なくとも二つのリブを有し、これらリブ間の中空部に、前記補強ベース部材が挿入されることを特徴とする請求項１乃至請求項３のいずれか１項に記載の階段と手摺の固定構造である。
【００１４】
このような構成によれば、補強ベース部材をリブ間に挿入することで、補強ベース部材を踏板の中空部に挿入する際の位置決めを容易に行うことができる。また、リブによって踏板の強度を高めることができる。
【００１５】
請求項５に係る発明は、前記踏板が、アルミニウム製の押出形材にて構成されたことを特徴とする請求項１乃至請求項４のいずれか１項に記載の階段と手摺の固定構造である。
【００１６】
このような構成によれば、押出形材を適宜な長さで切断するだけで複雑な形状の踏板を容易に製造することができる。また、アルミニウム製の押出形材は、寸法精度が高く、また、強度の割に軽量であるので、現場での取り回しが容易になる。
【００１７】
請求項６に係る発明は、前記補強ベース部材が、中空部を有するアルミニウム製の押出形材にて構成されたことを特徴とする請求項１乃至請求項５のいずれか１項に記載の階段と手摺の固定構造である。
【００１８】
このような構成によれば、アルミニウム製の押出形材は、寸法精度が高く、また、強度の割に軽量であるので、現場での取り回しが容易になる。
【００１９】
請求項７に係る発明は、階段の幅方向に所定間隔をあけて配置された一対の側桁に、中空形材にて構成された踏板を架け渡して固定し、前記踏板の中空部に、補強ベース部材を挿入し、前記踏板および前記補強ベース部材の下側から、棒状の固定部材を貫通させてその上端部が前記踏板の上面から上方に突出するように装着し、前記固定部材の上端突出部を、手摺支柱の下端部に螺合させて、前記手摺支柱を前記踏板に装着するように構成したことを特徴とする階段構造物である。
【００２０】
このような構成によれば、固定部材は、踏板の下側から挿入されているので目立たないとともに、手摺支柱を踏板の上面に固定することで、踏板の端部に手摺支柱の挿入部を設ける必要がなく踏板の端部を平坦な形状にすることができるので、すっきりとした優れた外観の階段構造物を提供することができる。また、手摺支柱は、固定部材を介して踏板に直接固定されているので、踏板との固定強度を高めることができる。また、補強ベース部材によって、手摺支柱にかかる応力を支持できるので、手摺支柱と踏板の固定強度および踏板の強度をさらに高めることができる。
【００２１】
請求項８に係る発明は、前記踏板が、その両端が一対の前記側桁よりも外側に突出しており、前記補強ベース部材は、前記踏板の端部から前記側桁への固定部分にかけて延出して構成されていることを特徴とする請求項７に記載の階段構造物である。
【００２２】
このような構成によれば、手摺支柱にかかる応力が、補強ベース部材を介して側桁に伝達されるので、より多くの応力に耐えることができ、手摺支柱と踏板の固定強度がさらに高められた階段構造物を提供することができる。
【発明の効果】
【００２３】
本発明によれば、優れた外観を得られる階段と手摺の固定構造および階段構造物を提供できるといった優れた効果を発揮する。
【発明を実施するための最良の形態】
【００２４】
以下、本発明の実施の形態を、添付した図面を参照しつつ詳細に説明する。なお、本実施形態では、家屋やコテージなどの建築物に隣接して設置されるバルコニーに設けられた階段構造物を例に挙げて説明する。
【００２５】
（バルコニー）
階段構造物が設置されるバルコニーの概略構成を、図６を参照して説明する。図６に示すように、バルコニー１０は、例えば、コテージなどの建築物１１の二階から出入り可能に設けられている。このバルコニー１０は、床材１２と、その床材１２の下に配置されたトラス構造体１３と、床材１２およびトラス構造体１３を支持する支柱１４とを備えている。床材１２の外周縁には、手摺１９が設けられている。
【００２６】
トラス構造体１３は、複数の上弦材１５ａ，１５ａ・・・を互いに連結してなる上面フレーム１５と、複数の下弦材１６ａ，１６ａ・・・を互いに連結してなる下面フレーム１６とをラチス材１７，１７・・・で互いに連結して構成されている。そして、下面フレーム１６の外周縁の下方に、下弦材１６ａの長手方向に沿って長尺の補強部材１８が設けられている。補強部材１８は、隣り合う支柱１４，１４間に架け渡されて固定されている。
【００２７】
（階段構造物）
本発明に係る階段構造物１は、地上などの他の階高レベルからバルコニー１０の床材１２上に昇降するために設けられており、踏板２０と、この踏板２０を支持する側桁４０と、階段用の手摺５０とを備えて構成されている。
【００２８】
手摺５０は、踏板２０に固定される手摺支柱５１と、隣り合う手摺支柱５１，５１間に架け渡して設けられる手摺部５２と、手摺支柱５１，５１間の格子部５３とで構成されている。
【００２９】
手摺支柱５１は、所定のピッチで、踏板２０上に立設されて固定されている。本実施形態では、手摺支柱５１は踏板２０三段ごとで、踏板２０の両端部の上面に固定されている。手摺部５２は、上端の手摺支柱５１から下端の手摺支柱５１に架け渡されて、各手摺支柱５１，５１・・に支持されている。
【００３０】
側桁４０は、階段の勾配に応じて傾斜して配置されており、階段の幅方向両側に所定間隔をあけて互いに平行になるようにそれぞれ設けられている。図１の（ａ）および（ｂ）に示すように、側桁４０は、縦長の長方形断面を有するアルミニウム製（アルミニウム単体またはアルミニウム合金製）の押出形材からなり、その内部には、補強リブ４１が長手方向に沿って形成されている。補強リブ４１は、側桁４０の高さ方向中間部に設けられている。
【００３１】
図６に示すように、側桁４０は、下部が基礎Ｋに固定されたベースプレート７０にボルトＢおよびナット（図示せず）によって連結されている。本実施形態では、側桁４０が固定される基礎Ｋは、土地の地盤高さとバルコニー１０の高さとの差に応じて、側桁４０の支持高さが決定されており、階段構造物１の設置レベルを、バルコニー１０から一定の高さ距離に調整できるようになっている。このような構成によれば、側桁４０や手摺５０の寸法を統一することができ、生産性の向上を図れる。
【００３２】
図１の（ａ）、（ｂ）および図６に示すように、側桁４０の上部は、補強部材１８に連結されて支持されている。具体的には、補強部材１８の側面に、側桁４０を固定するためのサポートシュー７１が設けられ、側桁４０の上端部下側に、ブラケット７２が設けられ、サポートシュー７１とブラケット７２とは、ジョイント材７３を介して連結されるようになっている。
【００３３】
図１の（ａ）および（ｂ）に示すように、サポートシュー７１は、補強部材１８のみぞ形部材１８ａの背面に取り付けられている。サポートシュー７１は、みぞ形部材１８ａの背面に当接するベース部７１ａと、ジョイント材７３をその厚さ方向両側から挟持する一対の挟持プレート７１ｂ，７１ｂとで構成されている。ベース部７１ａには、補強部材１８に固定するためのボルトＢが挿通する貫通孔７１ｃが形成されている。挟持プレート７１ｂ，７１ｂは、ジョイント材７３の厚さ分の間隔を空けて配置されており、高さ方向中間部に、ジョイント材７３を固定するためのボルトＢが挿通する貫通孔７１ｄが形成されている。ここで、ジョイント材７３は、サポートシュー７１に一本のボルトＢで固定されているので、このボルトＢを中心に回転可能である。これによって、階段構造物１の振動や、側桁４０や支柱１４の熱収縮を吸収することができる。
【００３４】
ブラケット７２は、側桁４０とジョイント材７３とを、その厚さ方向両側から挟持する一対のプレート材７２ａ，７２ａにて構成されている。プレート材７２ａは、側桁４０と当接する部分と、ジョイント材７３と当接する部分とが段部７２ｂを介して一体的に形成されている。側桁４０と当接する部分と、ジョイント材７３と当接する部分には、それぞれ側桁４０とジョイント材７３をそれぞれ挟持するためのボルトＢ，Ｂ用の貫通孔７２ｃ，７２ｃがそれぞれ複数形成されている。なお、このブラケット７２で、側桁４０を挟持するときは、側桁４０の内部に、スペーサ７４を挿入してボルトＢ、ナットＮを締め付けることで、側桁４０の変形を防止できる。
【００３５】
ジョイント材７３は、サポートシュー７１から斜め上方に延びるプレート材にて構成されており、側桁４０の長手方向に対して略直交するように配置されている。
【００３６】
以上のような構成によれば、補強材１８の任意の箇所に側桁４０の上端部を固定することができる。さらに、補強材１８以外の場所であっても、サポートシュー７１をボルトＢで固定できる部分であれば、例えば建物の壁面等に側桁４０の上端部を固定することができる。
【００３７】
図２の（ａ）および図３に示すように、隣り合う一対の側桁４０（図２および図３では片側のみ図示）の上面には、踏板２０を支持するための踏板受材４３がそれぞれ設けられている。踏板受材４３は、側桁４０の長手方向に沿って、階段の蹴上げ高さに応じた所定ピッチで複数設けられており、断面矩形の側桁４０，４０の上面にボルトＢ等の締結部材によって固定されている。踏板受材４３は、側桁４０に固定された状態で水平になる上端水平面４３ａを有している。踏板受材４３は、側面視台形を呈しており、一方の斜辺が側桁４０の上面に当接するように台形を斜めに傾斜させて配置されている。踏板受材４３は、一方の斜辺の両端がその延長方向に延出しており、その斜辺が側桁４０の上面に当接して固定される当接面４３ｂを構成している。そして、他方の斜辺が上端水平面４３ａを構成している。上端水平面４３ａには、踏板２０を固定するためのボルトＢが挿通される貫通孔４３ｃが二箇所に形成されている。
【００３８】
図３および図４に示すように、踏板受材４３の周囲には、一対のカバー部材４５ａ，４５ｂが取り付けられている。これらカバー部材４５ａ，４５ｂは、踏板受材４３を階段の幅方向両側から挟み込むように設けられている。カバー部材４５ａ，４５ｂは、踏板受材４３の側面を覆うカバー本体プレート４６と、カバー本体プレート４６の内側面から、対向する他方のカバー本体プレート４６側に延出する上側接続プレート４７と下側接続プレート４８とを備えて構成されている。カバー本体プレート４６は、側面視で、当接面４３ｂを含む踏板受材４３を覆う台形形状を呈している。
【００３９】
上側接続プレート４７は、踏板受材４３の台形の短辺４３ｄに沿うように形成されており、一方のカバー部材４５ａの上側接続プレート４７ａは、カバー本体プレート４６の内側面から直交して延出して平面状に形成されている。他方のカバー部材４５ｂの上側接続プレート４７ｂは、カバー本体プレート４６の内側面から直交して延出するとともに、段部４７ｃを有する二段の平面状に形成されており、先端側の平面部分が前記一方の上側接続プレート４７ａの表面に当接するようになっている。上側接続プレート４７ａの表面には凸条４７ｄが形成され、上側接続プレート４７ｂの先端側の平面部分の上側接続プレート４７ａ側の表面には前記凸条４７ｄに噛み合う凹溝４７ｅが形成されており、上側接続プレート４７ａと上側接続プレート４７ｂとの位置決めガイドの役目を果たしている。
【００４０】
下側接続プレート４８は、踏板受材４３の台形の長辺４３ｅに沿うように形成されており、他方のカバー部材４５ｂの下側接続プレート４８ｂは、カバー本体プレート４６の内側面から直交して延出して平面状に形成されている。一方のカバー部材４５ａの下側接続プレート４８ａは、カバー本体プレート４６の内側面から直交して延出するとともに、段部４８ｃを有する二段の平面状に形成されており、先端側の平面部分が前記他方の下側接続プレート４８ｂの表面に当接するようになっている。下側接続プレート４８ｂの表面には凸条４８ｄが形成され、下側接続プレート４８ａの先端側の平面部分の下側接続プレート４８ｂ側の表面には前記凸条４８ｄに噛み合う凹溝４８ｅが形成されており、下側接続プレート４８ａと下側接続プレート４８ｂとの位置決めガイドの役目を果たしている。下側接続プレート４８ａと下側接続プレート４８ｂには、ねじ孔４８ｆがそれぞれ形成されており、踏板受材４３に形成されたねじ孔４３ｆとともに、ねじＳが螺合されて、踏板受材４３とカバー部材４５ａ，４５ｂとが固定されている。
【００４１】
カバー部材４５ａ，４５ｂは、ともにアルミニウム製の押出形材にて構成されており、図４に示すように、１８０度回転させると断面形状が互いに同じ形状をなす点対称に構成されている。要するに、一方のカバー部材４５ａの上側接続プレート４７ａと、他方のカバー部材４５ｂの下側接続プレート４８ｂとが同じ断面形状であって、一方のカバー部材４５ａの下側接続プレート４８ａと、他方のカバー部材４５ｂの上側接続プレート４７ｂとが同じ断面形状である。これによって、カバー部材４５ａ，４５ｂは、同じ断面の押出形材を適宜斜めに切断して、ねじ孔４８ｆを螺設することで形成される。このようにカバー部材４５ａ，４５ｂを設けることによって、踏板受材４３やボルトＢを覆って隠すことができるので、すっきりとした外観を得られるとともに、踏板受材４３の踏板２０の支持強度を補強することができる。
【００４２】
図５に示すように、一対の側桁４０，４０にそれぞれ設けられた踏板受材４３，４３間に、踏板２０が架け渡されて固定されている。踏板２０は、各踏板受材４３，４３の上端水平面４３ａ，４３ａ上に載置され、ボルトＢおよびナットＮを介して固定されている。踏板２０は、階段の幅方向両端が一対の踏板受材４３，４３（側桁４０，４０）間の距離よりも長く、側桁４０よりも外側に延出するように形成されており、側桁４０，４０間の距離よりも長い階段幅を得られるように構成されている。
【００４３】
図２の（ａ）および図３に示すように、踏板２０は、横長の長方形断面を有するアルミニウム製の押出形材からなり、その内部には、一対の補強リブ２１，２１が押出方向の全長に亘って連続して形成されている。補強リブ２１，２１は、踏板２０の蹴込み奥行方向（図２中、左右方向）に所定の間隔をあけて、踏板２０の上面および下面に直角になるようにそれぞれ縦方向に立設されており、踏板２０の内部を、３つの中空部２２ａ，２２ｂ，２２ｃに区画するように形成されている。
【００４４】
踏板２０の蹴込み奥行方向両側（図２中、左右両側）に位置する中空部２２ｂ，２２ｃの底部には、ナットＮを係止する溝２３を形成するための一対の凸条２３ａ，２３ａが形成されており、溝２３の底部には、踏板２０を踏板受材４３に固定するためのボルトＢが挿通される貫通孔２３ｂが形成されている。凸条２３ａ，２３ａは、踏板２０の押出方向の全長に亘って連続して形成されており、踏板２０の強度を高める補強リブの役目も果たしている。凸条２３ａ，２３ａは、断面方向から見て先端部が互いに内側に折り曲げられており、ナットＮを高さ方向に拘束するようになっている。溝２３は、ナットＮの対辺間の距離（内接円の直径）よりも僅かに広い幅を有しており、ナットＮを回転しないように係止して収容するように構成されている。なお、溝２３の幅方向外方両側のプレート部分は、若干肉厚に形成されており、ボルトＢの締め付けに対して対向するように補強されている。
【００４５】
踏板２０を踏板受材４３に固定するに際しては、溝２３の所定位置にナットＮを挿入して係止しておき、踏板受材４３の上端水平面４３ａの下側から、ボルトＢを、踏板受材４３の貫通孔４３ｃおよび踏板２０の貫通孔２３ｂに挿通させてナットＮに螺合させる。このとき、ナットＮは溝２３に係止されて回転しないので、ボルトＢを回転するだけで、締め付けることができる。
【００４６】
図３に示すように、踏板２０の押出方向両端には、蓋部材２４がねじＳによって固定されている。中空部２２ｂ，２２ｃの、踏板２０の奥行方向端部側となる側部（補強リブ２１とは逆側の側部）には、蓋部材２４を固定するねじＳを螺合させるための溝２５が形成されている。溝２５は、互いに対向して平行に形成された一対の凸条２５ａ，２５ａにて構成されており、断面Ｃ字状に形成されている。凸条２５ａ，２５ａは、踏板２０の押出方向の全長に亘って連続して形成されており、踏板２０の強度を高める補強リブの役目も果たしている。蓋部材２４を踏板２０に取り付けるに際しては、蓋部材２４を踏板２０の端面に配置して、蓋部材２４のねじ孔２４ａからねじＳを挿通させて、踏板２０の溝２５へと螺合させる。このとき、溝２５は、ねじＳによって若干押し広げられて、ねじＳを挟み込んで固定する。
【００４７】
（階段と手摺の固定構造）
一方、踏板２０の奥行方向中央に位置する中空部２２ａには、踏板２０の押出方向両端（階段の幅方向両端）近傍に、棒状の固定部材５５が貫通する貫通孔２２ｄが形成されている。固定部材５５は、手摺５０の手摺支柱５１を踏板２０に固定するための部材であって、ねじ等の締結部材にて構成されている。貫通孔２２ｄは、踏板２０の上面と下面の両方に、上下方向で互いに対応する位置にそれぞれ複数（本実施形態では、４箇所ずつ）形成されている。なお、貫通孔２２ｄは、手摺支柱５１が取り付けられる踏板２０に形成されていればよく、手摺支柱５１が取り付けられない踏板２０には形成しなくてよい。
【００４８】
中空部２２ａには、手摺支柱５１の固定強度を増大させるための補強ベース部材３０が挿入されている。補強ベース部材３０は、踏板２０と同種のアルミニウム製の押出形材からなり、断面長方形状に形成されている。なお、補強ベース部材３０は、踏板２０よりも高強度の材質で形成してもよい。図３および図５に示すように、補強ベース部材３０は、側桁４０よりも外側に突出している踏板２０の端部から、貫通孔２３ｂの部分までの長さより若干長い全長を有しており、踏板２０の端部から、踏板２０と側桁４０との固定部分にかけて延出するように構成されている。
【００４９】
図２の（ａ）、図３および図５に示すように、補強ベース部材３０には、二列の中空部３０ａ，３０ａが押出方向の全長に亘って連続して形成されている。中空部３０ａ，３０ａは、踏板２０の蹴込み奥行方向（図２中、左右方向）に並んでそれぞれ形成されており、その上面と下面には、固定部材５５が貫通する貫通孔３０ｂが形成されている（図２の（ａ）、（ｂ）および図３参照）。貫通孔３０ｂは、踏板２０の貫通孔２２ｄに対応する位置にそれぞれ複数（本実施形態では、４箇所ずつ）形成されている。各固定部材５５は、下側の貫通孔３０ｂから挿入され、中空部３０ａを通過して、上側の貫通孔３０ｂから上端部が突出される。中空部３０ａ，３０ａ間の壁面３０ｃは他の部分よりも肉厚に形成されており、補強ベース部材３０の強度を高めている。
【００５０】
図２の（ｂ）に示すように、踏板２０の中空部２２ａの底面には、上側に突出する凸条２６が、踏板２０の押出方向の全長に亘って連続して形成されている。一方、補強ベース部材３０の下面には、凸条２６に形状に対応する凹溝３１が形成されている。具体的には、凹溝３１は、その内形が、凸条２６の外形と略同等の断面形状を呈しており、凸条２６が、凹溝３１内に噛み合うように組み付けられる。凹溝３１は、補強ベース部材３０の押出方向の全長に亘って連続して形成されている。補強ベース部材３０を踏板２０の中空部２２ａに挿入する際に、補強ベース部材３０の凹溝３１が踏板２０の凸条２６に噛み合うように摺動する。これによって、踏板２０の蹴込み奥行方向における補強ベース部材３０の位置がガイドされ、踏板２０の貫通孔２２ｄと、補強ベース部材３０の貫通孔３０ｂの位置合せを容易に行うことができる。
【００５１】
また、凸条２６の裏側（踏板２０の下面）には、凸条２６に沿った凹溝２７が形成されている。一方、踏板受材４３の上端水平面４３ａの上面には、凹溝２７内に挿入される凸条４４が形成されている。踏板２０を踏板受材４３上に載置する際に、踏板受材４３の凸条４４が、踏板２０の凹溝２７に挿入されて、踏板２０の蹴込み奥行方向における位置決めガイドの役目を果たす。
【００５２】
なお、本実施形態では、踏板２０の下面側に凸条２６と凹溝３１を形成しているが、上面側に凸条と凹溝を形成してもよい。また、踏板２０に凹溝を形成して、補強ベース部材３０に凸条を形成するようにしてもよい。但し、本実施形態のように補強ベース部材３０に凹溝を形成した方が、踏板２０の外表面が突出しないので好ましい。
【００５３】
図２の（ａ）、図３および図５に示すように、固定部材５５は、踏板２０および補強ベース部材３０の下側から、踏板２０の貫通孔２２ｄおよび補強ベース部材３０の貫通孔３０ｂを介して、上側に向かって挿通されて、踏板２０を貫通している。固定部材５５は、その上端部が踏板２０の上面から上方に所定長さ突出するように装着されている。固定部材５５の先端には、雄ネジ部５５ａが形成されている。
【００５４】
図３および図５の（ａ）に示すように、手摺５０の手摺支柱５１は、踏板２０と同種のアルミニウム製の押出形材からなり、断面長方形状に形成されている。手摺支柱５１は、その内部に中空部５１ａを有しており、踏板２０よりも肉厚に形成されている。手摺支柱５１の下端部には、雌ネジ部５１ｂが形成されている。雌ネジ部５１ｂは、手摺支柱５１の断面の四隅にそれぞれ形成された貫通孔５１ｃの下端部に刻設されている。雌ネジ部５１ｂには、踏板２０の上面から上方に突出した固定部材５５の上端突出部５６の雄ネジ部５５ａが螺合されて、手摺支柱５１が踏板２０に固定されるようになっている。
【００５５】
次に前記構成の階段と手摺の固定構造を有する階段構造物１の組立工程について説明する。
【００５６】
（踏板と側桁の固定）
図３に示すように、まず、側桁４０の上面の所定位置に踏板受材４３，４３・・・をボルトＢによって固定する。その後、互いに平行に配置された側桁４０の踏板受材４３，４３（図５の（ｂ）参照）間に踏板２０を架け渡してボルトＢおよびナットＮによって固定する。このとき、踏板２０は、踏板受材４３の凸条４４が踏板２０の凹溝２７に挿入されて、所定の位置に容易に案内される。一方、ナットＮは踏板２０の中空部２２ｂ，２２ｃの溝２３の所定位置に予め挿入して係止しておく。そして、踏板受材４３の上端水平面４３ａの下側から、ボルトＢを、踏板受材４３の貫通孔４３ｃおよび踏板２０の貫通孔２３ｂに挿通させてナットＮに螺合させる。このとき、ナットＮは溝２３に係止されて回転しないので、ボルトＢを回転するだけで、ナットＮに締め付けることができる。
【００５７】
（手摺と踏板の固定）
その後、手摺支柱５１が取り付けられる踏板２０の端部に補強ベース部材３０を挿入する。このとき、補強ベース部材３０は、その下面の凹溝３１が、踏板２０の中空部２２ａの底面に形成された凸条２６に噛み合った状態で中空部２２ａに挿入されるので、踏板２０の蹴込み奥行方向における補強ベース部材３０の位置がガイドされる。そして、補強ベース部材３０を、その端部が踏板２０の端部と面一になるところまで挿入することで、踏板２０の貫通孔２２ｄの位置と、補強ベース部材３０の貫通孔３０ｂの位置とが容易に合わせられる。
【００５８】
その後、所定の踏板２０の上面の所定位置に手摺支柱５１を載置して、踏板２０および補強ベース部材３０の下側から、踏板２０の貫通孔２２ｄ、補強ベース部材３０の貫通孔３０ｂへとボルトＢ（固定部材５５）を挿入して、その上端部が、踏板２０の上面から上方に突出するように回転させながら貫通させて装着する。このとき、固定部材５５の上端突出部５６の雄ネジ部５５ａが、手摺支柱５１の下端部の雌ネジ部５１ｂに螺合されて、手摺支柱５１が踏板２０に固定される。
【００５９】
一方、踏板２０の両端に、蓋部材２４を配置して、蓋部材２４のねじ孔２４ａからねじＳを挿通させて、踏板２０の溝２５へと螺合させることで、蓋部材２４を踏板２０に固定する。このとき、ねじＳは、蓋部材２４を踏板２０に固定するだけでよいので、十分な固定強度を備えることができる。また、蓋部材２４は平面状であるので、踏板２０の端部がすっきりとした優れた外観となる。
【００６０】
その後、側桁４０に沿って上下方向に隣り合う手摺支柱５１，５１間に、手摺部５２を架け渡すとともに、格子部５３を設けることで、手摺５０が形成され、階段構造物１の製造が完了する。
【００６１】
以上のような構成の階段構造物１によれば、優れた外観の階段構造物１を得られる。すなわち、踏板２０および補強ベース部材３０の下側から、棒状の固定部材５５を貫通させてその上端部が踏板２０の上面から上方に突出するように装着し、固定部材５５の上端突出部５６を、手摺支柱５１の下端部の雌ネジ部５１ｂに螺合させて、手摺支柱５１を踏板２０に固定するように構成したことによって、固定部材５５は、踏板２０の下側に頭部が露出するだけで目立たない。また、手摺支柱５１を踏板２０の上面に固定することで、踏板２０の端部に手摺支柱５１の挿入部を設ける必要がなく、踏板２０の端部の蓋部材２４を平坦な形状にすることができるので、すっきりとした優れた外観を得ることができる。
【００６２】
手摺支柱５１は、固定部材５５を介して踏板２０に直接固定されているので、踏板２０との固定強度を高めることができる。また、踏板２０の中空部２２ａに挿入された補強ベース部材３０によって、手摺支柱５１にかかる応力を支持できるので、手摺支柱５１と踏板２０の固定強度をさらに高めることができる。さらに、補強ベース部材３０は、手摺支柱５１にかかる応力のみならず、踏板２０にかかる荷重も支持することができるので、踏板２０自体の強度も高めることができる。
【００６３】
また、補強ベース部材３０は、踏板２０の端部から、踏板２０と側桁４０との固定部分にかけて延出して構成されているので、手摺支柱５１にかかる応力を、補強ベース部材３０を介して側桁４０に伝達することができる。したがって、階段と手摺の固定部分は、より多くの応力に耐えることができ、手摺支柱５１と踏板２０の固定強度をさらに高めることができる。具体的には、手摺支柱５１にかかる応力は、踏板受材４３との固定部分を中心とするモーメント力として踏板２０にかかるが、モーメント力がかかる部分に配置された補強ベース部材３０によって対抗することができる。また、補強ベース部材３０は、踏板２０の両端部のみに設けられ、階段の幅方向中央部には設けられていないので、その分の重量増加を防止することができる。さらに、モーメント力に対向するのに必要な部分のみに補強ベース部材３０が配置されているので、効率的な補強が行われている。
【００６４】
本実施形態では、補強ベース部材３０と踏板受材４３とは直接固定されていないが、固定部分の補強ベース部材３０に伝わった応力は、踏板２０の板材を伝達されてボルトＢを介して踏板受材４３に伝達される。なお、ボルト等の固定部材を用いて、補強ベース部材３０と踏板受材４３とを直接固定するようにしてもよいのは勿論である。
【００６５】
また、以上のように手摺支柱５１と踏板２０の固定強度が高められていることによって、手摺支柱５１の設置本数を少なくすることができる。これによって、手摺支柱５１の取付施工の手間と時間を短縮できるとともに、すっきりとした外観の手摺５０を提供することができる。
【００６６】
一方、踏板２０の中空部２２ａの内表面に凸条２６を形成し、補強ベース部材の外表面に凹溝３１を形成しているので、凸条２６が凹溝３１に噛み合うことで、補強ベース部材３０を踏板２０の中空部２２ａに挿入する際の位置決めを容易に行うことができる。また、凸条２６が補強リブの役目を果たして、踏板２０の強度を高めることができるとともに、凹溝３１によって補強ベース部材３０の強度を高めることができる。
【００６７】
さらに、踏板２０は、その内部に少なくとも二つの補強リブ２１，２１を有し、これら補強リブ２１，２１間の中空部２２ａに、補強ベース部材３０が挿入されているので、補強ベース部材３０を補強リブ２１，２１間に挿入する際の位置決めを容易に行うことができる。また、補強リブ２１，２１によって踏板２０の強度を高めることができる。
【００６８】
踏板２０や補強ベース部材３０が、アルミニウム製の押出形材にて構成されているので、押出形材を適宜な長さで切断するだけで複雑な形状の踏板２０や補強ベース部材３０を容易に製造することができる。また、アルミニウム製の押出形材は、寸法精度が高く、また、強度の割に軽量であるので、現場での取り回しが容易になる。
【００６９】
以上、本発明の実施形態について説明したが、本発明は、前記した実施形態に限定されるものではなく、適宜変更して実施することができる。例えば、本実施形態では、屋外のバルコニーに設置された階段構造物１を例に挙げて説明したが、バルコニー以外であっても例えば建物に直接設置してもよいし、屋外または屋内のどちらに設置してもよいのは勿論である。
【００７０】
また、本実施形態では、踏板２０や補強ベース部材３０等の各部材をアルミニウム製の押出形材にて形成しているが、これに限られるものではなく、ステンレス等の他の部材で形成してもよい。
【図面の簡単な説明】
【００７１】
【図１】本発明に係る階段構造物を実施するための最良の形態を示した図であって、（ａ）は側面図、（ｂ）は階段構造物とバルコニーとの取り合いを示した平面図である。
【図２】（ａ）は本発明に係る階段構造物を実施するための最良の形態を示した拡大断面図、（ｂ）は部分拡大断面図である。
【図３】本発明に係る階段構造物を実施するための最良の形態を示した分解斜視図である。
【図４】カバー部材を示した断面図である。
【図５】本発明に係る階段構造物を実施するための最良の形態を示した図であって、（ａ）は手摺支柱を示した（ｂ）のＡ−Ａ線断面図、（ｂ）は踏板と補強ベース部材と踏板受材との位置関係を示した断面図である。
【図６】本発明に係る階段構造物を備えたバルコニーを示した斜視図である。
【図７】従来の踏板と手摺との取り合いを示した斜視図である。
【符号の説明】
【００７２】
１      階段構造物
２０    踏板
２１    補強リブ（リブ）
２２ａ  中空部
２６    凸条
３０    補強ベース部材
３０ａ  中空部
３１    凹溝
４０    側桁
５０    手摺
５１    手摺支柱
５５    固定部材
５６    上端突出部
【図１】
2009068297.tif 000003
【図２】
2009068297.tif 000004
【図３】
2009068297.tif 000005
【図４】
2009068297.tif 000006
【図５】
2009068297.tif 000007
【図６】
2009068297.tif 000008
【図７】
2009068297.tif 000009